(57)【要約】【課題】多数仮眠または就寝している部屋での状態管理を、ローコストで効果的に行うことができる起床状態集中監視システムを提供する。【解決手段】就眠者が起床する時間をセットすると、監視ユニットにセット指令を出し、セット時間になると、監視ユニットに動作指令を送る制御タイマと、セット指令を受けると、起床状態集中監視盤にセット指令を送り、その後動作指令を受けると、送風機を動作させる監視出力ユニットと、空気袋に空気を送る送風機と、就眠者の体を持上げたり下げたり揺動して、就眠者を覚醒させる空気袋と、監視出力ユニットからセット指令を送られると、自身の内部にあるシーケンサに制御されて、パソコンに表示情報を送る起床状態集中監視盤と、シーケンサから送られた表示情報に基づいて、各就眠者の起床状態を表示するパソコンとを備える。【選択図】図１
2008123068.tif 000002
【特許請求の範囲】
【請求項１】
就眠者が起床する時間をセットすると、監視ユニットにセット指令を出し、セット時間になると、前記監視ユニットに動作指令を送る制御タイマと、
前記セット指令を受けると、起床状態集中監視盤に前記セット指令を送り、その後前記動作指令を受けると、送風機を動作させる監視出力ユニットと、
空気袋に空気を送る前記送風機と、
就眠者の体を持上げたり下げたり揺動して、就眠者を覚醒させる空気袋と、
前記監視出力ユニットから前記セット指令を送られると、自身の内部にあるシーケンサに制御されて、パソコンに表示情報を送る前記起床状態集中監視盤と、
前記シーケンサから送られた表示情報に基づいて、各就眠者の起床状態を表示する前記パソコンとを
備えたことを特徴とする起床集中監視システム。
【請求項２】
前記パソコンは、前記シーケンサから送られた表示情報に基づいて、各就眠者の起床状態が、未設定、設定中、動作中、前起床、起床、不起床、異常の状態の中、どの状態であるかを判別して、起床状態を表示することを特徴とする請求項１に記載の集中起床装置監視システム。
【請求項３】
前記パソコンは、前記シーケンサから送られた表示情報に基づいて、各就眠者の起床状態が、未設定、設定中、動作中、前起床、起床、不起床、異常の状態の中、どの状態であるかを判別して、起床状態を表示する際に、前記表示項目に識別色を宛がって表示することを特徴とする請求項２に記載の集中起床装置監視システム。
【発明の詳細な説明】
【技術分野】
【０００１】
本発明は、早朝就業等のために仮眠または就寝している特定人に、起床を促すために起床状態を監視する起床状態集中監視システムに関する。
【背景技術】
【０００２】
従来、休養所等で待機仮眠中の従業員を、所定の時刻に他の仮眠者の就眠を妨げることなく、特定の人のみ、自動的に空気で揺動させて覚醒させるために、制御タイマー、空気袋、送風機およびホースがセットになった製品が使用されている（特許文献１参照）。
【０００３】
これをベースにして、多数の人が仮眠または就寝している部屋での起床状態管理が、集中方式により行われている。この起床状態集中管理の集中方式では、個々の部屋の時間セット、起床動作,不起床が、集中制御盤およびパソコンにより監視されている。
【０００４】
ところが、この集中方式では、個々の部屋と集中制御盤との間の配線が、個々の部屋ごとに制御線２本、ＡＣ１００Ｖ電源線２本の合計４本の配線本数が必要である。また、集中制御盤も大きくなり、高価なものとなる。
【０００５】
また、部屋数が少ない場合には、個々人用に、起床させる制御タイマー、空気袋、送風機、ホース等がセットになった製品が、使用されているが、複数の従業員の起床状態を全般的に監視することはできてない。そこで、このセットだけでは、個人に対しては問題ないが、複数の従業員に対しては、特に、就眠者が多数おり、複数の部屋に跨る就眠者がいる場合には、起床状態を全般的に監視して管理するための管理事項を取入れる必要がある。
【特許文献１】実公昭４６−３４４６０号
【発明の開示】
【発明が解決しようとする課題】
【０００６】
上記したように、従来の集中制御盤およびパソコンによる起床状態集中管理の集中方式の配線構成を合理化して、コストダウンを図る必要があり、また、複数の従業員に対しては、特に、就眠者が多数おり、複数の部屋に跨る就眠者がいる場合には、起床状態を全般的に監視して管理するための管理事項を新たに取入れる必要がある。
【０００７】
本発明は、上記事情に鑑みて成されたものであり、本システムの配線構成を合理化するとともに、複数の従業員に対して起床状態を集中して監視することができる起床状態集中監視システムとその方法を提供することを目的としている。
【課題を解決するための手段】
【０００８】
上記の目的を解決するために、本発明の請求項１に係る集中起床装置監視システムは、  就眠者が起床する時間をセットすると、監視ユニットにセット指令を出し、セット時間になると、監視ユニットに動作指令を送る制御タイマと、セット指令を受けると、起床状態集中監視盤にセット指令を送り、その後動作指令を受けると、送風機を動作させる監視出力ユニットと、空気袋に空気を送る送風機と、就眠者の体を持上げたり下げたり揺動して、就眠者を覚醒させる空気袋と、監視出力ユニットからセット指令を送られると、自身の内部にあるシーケンサに制御されて、パソコンに表示情報を送る起床状態集中監視盤と、シーケンサから送られた表示情報に基づいて、各就眠者の起床状態を表示するパソコンとを備えたことを特徴とする。
【０００９】
本発明の請求項２に係る集中起床装置監視システムは、請求項１に記載の集中起床装置監視システムにおいて、パソコンが、シーケンサから送られた表示情報に基づいて、各就眠者の起床状態が、未設定、設定中、動作中、前起床、起床、不起床、異常の状態の中、どの状態であるかを判別して、起床状態を表示することを特徴とする。
【００１０】
本発明の請求項３に係る集中起床装置監視システムは、請求項２に記載の集中起床装置監視システムにおいて、パソコンが、シーケンサから送られた表示情報に基づいて、各就眠者の起床状態が、未設定、設定中、動作中、前起床、起床、不起床、異常の状態の中、どの状態であるかを判別して、起床状態の表示項目を表示する際に、各表示項目に識別色を宛がって表示することを特徴とする。
【発明の効果】
【００１１】
請求項１乃至３の起床状態集中監視システムによれば、多数仮眠または就寝している部屋での起床状態集中監視システムの設定をローコスト化し、また、その動作を効果化することができる。その結果、本起床状態集中監視システムの普及を容易にすることができる。
【発明を実施するための最良の形態】
【００１２】
以下に図面を参照しながら、本発明の実施の形態について説明する。
【００１３】
図１は、本発明の起床集中監視システムの構成を示すブロック図である。  
図１において、起床集中監視システムは、制御タイマ１、監視出力ユニット２、送風機３、空気袋４、起床装置集中監視盤５、ホース６、ＡＣ１００Ｖコンセント７、セットスイッチ８、パソコン９とから構成されている。
【００１４】
ここで、個々の構成要素の作用について説明する。
【００１５】
制御タイマ１は、就眠者各個人により、起床する時間をセットされる。制御タイマ１は、起床時間をセットされると、監視ユニット２に対して、セット指令を出すとともに、セット時間になると、監視出力ユニット２に対して、動作指令を送る。
【００１６】
監視出力ユニット２は、セット指令を受けると、起床装置集中監視盤５にセット指令を送り、その後、動作指令を受けると、送風機３を動作させる。
【００１７】
送風機３は、空気袋４に空気を送り、空気袋４は、就眠者の体を持上げたり、下げたり揺動して、就眠者を覚醒させる。
【００１８】
起床状態集中監視盤５は、監視出力ユニット２からセット指令を送られると、起床状態集中監視盤５の内部にあるシーケンサのコントロールに従って、パソコン９に表示情報を送る。
【００１９】
パソコン９は、シーケンサから送られた表示情報に基づいて、各就眠者の起床状態が、未設定、設定中、動作中、前起床、起床、不起床、異常の7通りの状態の中、どの状態であるかを判定して、監視状態を表示する。
【００２０】
上述の７通りの状態判定表示は、以下のように行われる。  
「未設定」は、未設定状態であることを示している。「設定中」は、セットスイッチが入っている状態を示している。「動作中」は、送風機がｏｎ―ｏｆｆ状態で（８秒毎の繰返し）であることを示している。動作指令を受けてから、１５秒経過後、動作中表示になる。「前起床」は、一旦セットしても、セット時間前に、就眠者が起床して、起床時間前にセットスイッチを切ると、前起床となる。「起床」は、就眠者が動作を感知して起床し、動作中にセットスイッチを切ると、起床表示になる。「不起床」は、動作して３分間経過しても、リセットされなければ、不起床表示になる。「異常」は、停電後２０秒経過しても、復電しなければ、異常表示になる。
【００２１】
上記の７通りの表示項目には、色識別が可能な簡略記号を宛がっておくと、目視によって簡単に、起床状態の監視を行うことができる。
【００２２】
図３は、パソコン表示の表示項目と、識別色の組合せの一例を示したものである。
【００２３】
「未設定」は白色、「設定中」は緑色、「動作中」は黄色、「前起床」は空色、「起床」は青色、「不起床」は赤色、異常は桃色に対応させている。
【００２４】
なお、上記表示項目は、上記７項目に限られず、減少しても増加してもよい。
【００２５】
また、図１において、セットスイッチ８は、就眠書が予め入れておくもので、制御タイマー１の操作面上に設置されている。また、動作中スイッチ（無記号）は、監視出力ユニット２内に設置されている。
【００２６】
つぎに、図１のように構成された起床集中監視システムの動作フローを説明する。この動作は、図３に示したフローチャートに従って進行する。
【００２７】
まず、予め、深夜や早朝等の就業のため仮眠をとる人は、ベッド等の敷布団の下に空気袋４を敷き、送風機の電源コードを制御タイマー１に接続し、制御タイマ１の電源コードを部屋のＡＣ１００Ｖコンセントに接続する（ステップＳ１）。
【００２８】
つぎに、制御タイマ１に起床する時間をセットすると、監視ユニット２にセット指令が出される（ステップＳ２）。
【００２９】
その後、セットされた時間になると、制御タイマー１は、監視ユニット２に動作指令を送り、送風機３を動作させ（ステップＳ３）、空気袋４に空気を送る（ステップＳ４）。
【００３０】
空気袋４は、就眠者の体を持上げたり、下げたり揺動して、起床させる。なお、揺動は、７〜８秒間隔で、３〜５分間継続する（ステップＳ６）。
【００３１】
上記セット指令および動作指令は、上記監視出力ユニット２だけではなく、同時に集中監視盤５にも送られている。起床状態集中監視盤５では、上記セット指令および動作指令を取込み、起床状態集中監視盤５内のシーケンサにより、信号処理を行い（ステップＳ５）、ＲＳ２３２Ｃで接続されたパソコン９に状態表示させる（ステップＳ７）。
【００３２】
パソコン９上の状態表示は、上述したように、未設定状態ならば「未設定」、セットスイッチを入れたら「設定中」、送風機がｏｎ−ｏｆｆ状態ならば「動作中」、一旦セットスイッチをｏｎして、起床時間前にｏｆｆすれば「前起床」、送風機動作中にセットスイッチを切ると「起床」、送風機が動作して３分経過してもリセットされなければ「不起床」、停電後２０秒経過しても、復電しなければ「異常」が表示される（同じくステップＳ６）。
【００３３】
本実施の形態によれば、本起床状態集中監視システムは、制御タイマーから、監視出力ユニットを介して、セット指令および動作指令を、起床状態集中監視盤５に送り、起床状態集中監視盤５内のシーケンサにより、信号処理を行い、パーソナルコンピュータ画面上に７点（未設定、設定中、動作中、前起床、起床、不起床、異常）の表示を行い、動作状態を管理するものであるので、必要不可欠の管理項目を想定して、複数の起床状態を集中して監視することができる。さらに、電力線や信号線の配線数を少なくできるので、監視動作を効果的に行い、また冠システムをローコストで設定できるので、普及が容易な起床状態集中監視システムを提供することができる。
【００３４】
なお、起床状態集中監視盤５とパソコン９との間には、ＲＳ２３２Ｃを用いているが、モデムと電話線を利用することにより、遠方に離れた場所にも、パソコンを設定し、パソコン画面上に、上述した７通りの状態表示を行わせることもできる。
【図面の簡単な説明】
【００３５】
【図１】本発明の集中起床装置監視システムの構成を示すブロック図である。
【図２】本発明の集中起床装置監視システムのパソコン表示の表示項目と識別色の関係を示す図である。
【図３】本発明の集中起床装置監視システムの動作の流れを示すフローチャートである。
【図４】起床装置システムの従来例を示す構成図である。
【符号の説明】
【００３６】
１…制御タイマー、２…監視出力ユニット、３…送風機、４…空気袋、５…集中監視盤、６…パソコン、７…ＡＣ１００Ｖコンセント、８…セットスイッチ
【図１】
2008123068.tif 000003
【図２】
2008123068.tif 000004
【図３】
2008123068.tif 000005
【図４】
2008123068.tif 000006
【手続補正書】
【提出日】平成18年11月27日(2006.11.27)
【手続補正１】
【補正対象書類名】特許請求の範囲
【補正対象項目名】請求項１
【補正方法】変更
【補正の内容】
【請求項１】
就眠者が起床する時間をセットすると、監視ユニットにセット指令を出し、セット時間になると、送風機および前記監視ユニットに動作指令を送る制御タイマと、
前記セット指令を受けると、起床状態集中監視盤に前記セット指令を送り、その後前記動作指令を受けると、前記起床状態集中監視盤に前記動作指令を送る監視出力ユニットと、
空気袋に空気を送る前記送風機と、
就眠者の体を持上げたり下げたり揺動して、就眠者を覚醒させる前記空気袋と、
前記監視出力ユニットから前記セット指令を送られると、自身の内部にあるシーケンサに制御されて、パソコンに表示情報を送る前記起床状態集中監視盤と、
前記シーケンサから送られた表示情報に基づいて、各就眠者の起床状態を表示する前記パソコンとを
備えたことを特徴とする起床集中監視システム。
【手続補正２】
【補正対象書類名】明細書
【補正対象項目名】０００８
【補正方法】変更
【補正の内容】
【０００８】
上記の目的を解決するために、本発明の請求項１に係る集中起床装置監視システムは、就眠者が起床する時間をセットすると、監視ユニットにセット指令を出し、セット時間になると、送風機および監視ユニットに動作指令を送る制御タイマと、セット指令を受けると、起床状態集中監視盤にセット指令を送り、その後動作指令を受けると、起床状態集中監視盤に動作指令を送る監視出力ユニットと、空気袋に空気を送る送風機と、就眠者の体を持上げたり下げたり揺動して、就眠者を覚醒させる空気袋と、監視出力ユニットからセット指令を送られると、自身の内部にあるシーケンサに制御されて、パソコンに表示情報を送る起床状態集中監視盤と、シーケンサから送られた表示情報に基づいて、各就眠者の起床状態を表示するパソコンとを備えたことを特徴とする。